(57)【特許請求の範囲】
【請求項１】
原稿を載置するコンタクトプレートが設けられたスキャナ部本体と、スキャナ部本体に回動自在に設けられた原稿保持板との間に原稿を挟み込む圧板開閉式スキャナにおいて、
前記スキャナ部本体は、原稿保持板開閉口側上部の角部が面取りされ、
前記原稿保持板は、前記面取りされた角部に対向する位置に凹部が形成され、
前記面取りされた角部と前記凹部とで形成される空間が、前記原稿保持板を開閉するときの指挿入空間を構成している
ことを特徴とする圧板開閉式スキャナ。
【請求項２】
請求項１に記載の圧板開閉式スキャナにおいて、
前記角部の面取りされた部分の側端及び前記原稿保持板の前記凹部の側端に壁部が起立している
ことを特徴とする圧板開閉式スキャナ。
【請求項３】
請求項２に記載の圧板開閉式スキャナにおいて、
前記角部の面取りされた部分の側端と前記原稿保持板の前記凹部の側端とは、幅方向において同じ位置にある
ことを特徴とする圧板開閉式スキャナ。
【請求項４】
請求項１乃至請求項３のいずれか１に記載の圧板開閉式スキャナにおいて、
前記角部の面取りされた部分は、手前から奥側に向けて下方から上方に傾斜する傾斜面を有し、
前記原稿保持板の前記凹部の下端と前記傾斜面の上端との位置が一致している
ことを特徴とする圧板開閉式スキャナ。
【請求項５】
請求項１乃至請求項４のいずれか１に記載の圧板開閉式スキャナにおいて、
前記原稿保持板は、原稿を載置する載置台と、原稿を搬送する搬送手段と、搬送された原稿が排出され積載される原稿排紙部と、を備え、
原稿排紙部の手前側に前記凹部が配置されている
ことを特徴とする圧板開閉式スキャナ。
【請求項６】
請求項１乃至請求項５のいずれか１に記載の圧板開閉式スキャナを備えている
ことを特徴とする画像形成装置。
【発明の詳細な説明】
【技術分野】
【０００１】
本発明は、複写機、プリンタ、ＦＡＸなどの画像形成装置に用いられる圧板開閉式スキャナ及びこれを備える画像形成装置に関する。
【背景技術】
【０００２】
従来、コンタクトガラス上の原稿を押圧する原稿保持板が設けられた圧板開閉式スキャナでは、特許文献１及び特許文献２に記載の画像形成装置のように、原稿保持板に、指を引っ掛ける凹部を形成することが一般的に行われている。
しかし、画像形成装置の小型化・軽量化、原稿のセットのし易さ、及び外観の良さといった観点から、原稿保持板の厚さが薄くなる傾向にあるが、凹部の高さを圧板の厚さ以下にしなければならないため、原稿保持板の厚さを薄くすると、ユーザーの指が引っ掛かり難くなるという問題があった。
【０００３】
【特許文献１】特開２００５−２４２２６７号公報
【特許文献２】特許第３３５６１７２号公報
【発明の開示】
【発明が解決しようとする課題】
【０００４】
そこで、本発明は上記問題点に鑑みてなされたものであり、その課題は、原稿保持板が薄くなっても容易に指を引っ掛けて圧板部分を持ち上げることができる圧板開閉式スキャナ及びそれを備える画像形成装置を提供することを目的としている。
【課題を解決するための手段】
【０００５】
上記課題を解決する手段である本発明の特徴を以下に挙げる。
本発明の圧板開閉式スキャナは、原稿を載置するコンタクトプレートが設けられたスキャナ部本体と、スキャナ部本体に回動自在に設けられた原稿保持板との間に原稿を挟み込む圧板開閉式スキャナにおいて、前記スキャナ部本体は、原稿保持板開閉口側上部の角部が面取りされ、前記原稿保持板は、前記面取りされた角部に対向する位置に凹部が形成され、前記面取りされた角部と前記凹部とで形成される空間が、前記原稿保持板を開閉するときの指挿入空間を構成していることを特徴とする。
また、本発明の圧板開閉式スキャナは、さらに、前記角部の面取りされた部分の側端及び前記原稿保持板の前記凹部の側端に壁部が起立していることを特徴とする。
本発明の圧板開閉式スキャナは、さらに、前記角部の面取りされた部分の側端と前記原稿保持板の前記凹部の側端とは、幅方向において同じ位置にあることを特徴とする。
本発明の圧板開閉式スキャナは、さらに、前記角部の面取りされた部分は、手前から奥側に向けて下方から上方に傾斜する傾斜面を有し、前記原稿保持板の前記凹部の下端と前記傾斜面の上端との位置が一致していることを特徴とする。
本発明の圧板開閉式スキャナは、さらに、前記原稿保持板は、原稿を載置する載置台と、原稿を搬送する搬送手段と、搬送された原稿が排出され積載される原稿排紙部と、を備え、原稿排紙部の手前側に前記凹部が配置されていることを特徴とする。
本発明の画像形成装置は、上記圧板開閉式スキャナを備えていることを特徴とする。
【発明の効果】
【０００６】
上記解決する手段としての圧板開閉式スキャナ及びそれを備える画像形成装置では、前記スキャナ部本体は、原稿保持板開閉口側上部の角部が面取りされているので、原稿保持板に指を挿入する引っ掛け部が形成されていなくても、原稿保持板を指で持ち上げることができる。従って、原稿保持板が薄くなっても圧板部分を容易に持ち上げることができる。
【発明を実施するための最良の形態】
【０００７】
以下に、本発明を実施するための最良の形態を図面に基づいて説明する。なお、いわゆる当業者は特許請求の範囲内における本発明を変更・修正をして他の実施形態をなすことは容易であり、これらの変更・修正はこの特許請求の範囲に含まれるものであり、以下の説明はこの発明における最良の形態の例であって、この特許請求の範囲を限定するものではない。
【０００８】
〔第１実施形態〕
図１は、本発明の圧板開閉式スキャナの第１実施形態を備える画像形成装置を示している。この画像形成装置は、画像形成装置本体２と、この画像形成装置本体上に搭載された圧板開閉式スキャナ３とを有している。画像形成装置本体２の上面には、印刷された用紙が排出される用紙排紙部２ａが形成されている。この圧板開閉式スキャナ３は、スキャナ部本体３００と、原稿保持板としても機能する自動原稿送り装置４００とを備えている。原稿は自動原稿送り装置４００の原稿台３０に載置され、自動原稿送り装置４００が作動すると原稿が自動原稿送り装置内に送り込まれ、次いで、コンタクトプレートであるコンタクトガラス３２（図２記載）上でスキャナ部本体３００によってイメージスキャンされた後、原稿排紙部３１に排出される。原稿台３０に原稿が積み重ねられた場合、原稿は１枚ずつ搬送され、原稿排紙部３１に原稿が次々積み重ねられて行く。一方、自動原稿送り装置４００を使用しない場合は、自動原稿送り装置４００を上方へ回動させて開放し、コンタクトガラス３２（図２記載）に原稿を載置し、次いで自動原稿送り装置４００を閉じて、原稿を自動原稿送り装置４００とスキャナ部本体３００との間に挟み込み、スキャナ部本体３００で原稿に記載されている画像情報を読み込む。
【０００９】
次に、画像形成装置の内部構造について説明する。図２は、複数の像担持体（感光体ともいう）が並行して配設されたタンデム型のカラーレーザー複写機（以下、単に「複写機」という）である。なお、図１の画像形成装置と外観が多少相異するが、基本的構造は同じである。
この複写機は、画像形成装置本体２と圧板開閉式スキャナ３とから構成されている。画像形成装置本体２には、プリンタ部１００と、プリンタ部１００を載せる給紙装置２００とを備えている。圧板開閉式スキャナ３は、プリンタ部１００の上に固定されたスキャナ部本体３００と、スキャナ部本体３００に回動自在に設けられた自動原稿送り装置４００とを備えている。
上記プリンタ部１００は、イエロー（Ｙ）、マゼンタ（Ｍ）、シアン（Ｃ）、ブラック（Ｋ）の各色の画像を形成するための４個のプロセスカートリッジ１８Ｙ，Ｍ，Ｃ，Ｋからなる画像形成ユニット２０を備えている。各符号の数字の後に付されたＹ，Ｍ，Ｃ，Ｋは、イエロー、マゼンタ、シアン、ブラック用の部材であることを示している。プロセスカートリッジ１８Ｙ，Ｍ，Ｃ，Ｋの他には、光書込ユニット２１、中間転写ユニット１７、二次転写装置２２、レジストローラ対４９、ベルト定着方式の定着装置２５などが配設されている。
光書込ユニット２１は、図示しない光源、ポリゴンミラー、ｆ−θレンズ、反射ミラーなどを有し、画像データに基づいて後述の像担持体の表面にレーザー光を照射する。すると、照射部（露光部）の電位が減衰する。この減衰により、像担持体１の表面に静電潜像が形成される。形成された静電潜像は現像装置４によって現像されてトナー像となる。
【００１０】
像担持体１上に形成されたトナー像は、中間転写ベルト１１０に一次転写される。一次転写後の像担持体１の表面にはトナーが残っているため、クリーニング装置によって像担持体１の表面がクリーニングされる。
クリーニング装置によってクリーニングされた像担持体１の表面は、潤滑剤塗布装置を経た後、除電器によって除電される。そして、帯電装置によって一様帯電されて、初期状態に戻る。
【００１１】
次に、中間転写ユニット１７について説明する。
中間転写ユニット１７は、中間転写ベルト１１０やベルトクリーニング装置９０を有している。また、中間転写ユニット１７は、従動ローラ１４、駆動ローラ１５、二次転写バックアップローラ１６、及び４個の一次転写バイアスローラ６２Ｙ，Ｍ，Ｃ，Ｋを有している。
中間転写ベルト１１０は、従動ローラ１４を含む複数のローラによって張架されている。そして、中間転写ベルト１１０は、モータによって駆動される駆動ローラ１５の回転によって無端移動する。
４個の一次転写バイアスローラ６２Ｙ，Ｍ，Ｃ，Ｋは、それぞれ中間転写ベルト１１０の内周面に接触するようにして配設され、図示しない電源から一次転写バイアスの印加を受ける。また、一次転写バイアスローラ６２Ｙ，Ｍ，Ｃ，Ｋは中間転写ベルト１１０をその内周面側から像担持体１Ｙ，Ｍ，Ｃ，Ｋに向けて押圧して一次転写ニップを形成する。一次転写バイアスの影響により、像担持体１Ｙ，Ｍ，Ｃ，Ｋと一次転写バイアスローラ６２Ｙ，Ｍ，Ｃ，Ｋとの間（一次転写ニップ）に一次転写電界が形成される。
【００１２】
Ｙ用の像担持体１Ｙ上に形成されたＹトナー像は、この一次転写電界やニップ圧の影響によって中間転写ベルト１１０上に一次転写される。このＹトナー像の上には、Ｍ，Ｃ，Ｋ用の像担持体１Ｍ，Ｃ，Ｋ上に形成されたＭ，Ｃ，Ｋトナー像が順次重ね合わされる。この重ね合わせにより、中間転写ベルト１１０上には多重トナー像である４色重ね合わせトナー像（以下、４色トナー像という）が形成される。
中間転写ベルト１１０上に転写された４色トナー像は、後述の二次転写ニップで転写紙に転写される。二次転写ニップ通過後の中間転写ベルト１１０の表面に残留する転写残トナーは、従動ローラ１４との間でベルトを挟み込むベルトクリーニング装置９０によってクリーニングされる。
【００１３】
次に、二次転写装置２２について説明する。
中間転写ユニット１７の下方には、２個の張架ローラ２３によって張架された紙搬送ベルト２４を備える二次転写装置２２が配設されている。紙搬送ベルト２４は、少なくともいずれか一方の張架ローラ２３の回転駆動に伴って、無端移動する。２個の張架ローラ２３のうち、図中右側に配設された張架ローラ２３は、二次転写バックアップローラ１６との間に、中間転写ベルト１１０及び紙搬送ベルト２４を挟み込んでいる。この挟込みにより、中間転写ベルト１１０と紙搬送ベルト２４とが接触して二次転写ニップが形成される。そして、この右側の張架ローラ２３には、トナーと逆極性の二次転写バイアスが印加される。この二次転写バイアスの印加により、二次転写ニップには中間転写ベルト１１０上の４色トナー像をベルト側からこの張架ローラ２３側に向けて静電移動させる二次転写電界が形成される。後述のレジストローラ対４９によって中間転写ベルト１１０上の４色トナー像に同期するように二次転写ニップに送り込まれた転写紙には、この二次転写電界やニップ圧により４色トナー像が転写される。なお、このように張架ローラ２３に二次転写バイアスを印加する二次転写方式に代えて、転写紙を非接触で帯電させる帯電チャージャを設けてもよい。
【００１４】
複写機本体の下部に設けられた給紙装置２００には、複数の転写紙を束の状態にして収容可能な給紙カセット４４が、鉛直方向に間隔を置いて複数配設されている。給紙カセット４４の一番上の転写紙には、給紙ローラ４２が押し当てられている。そして、給紙ローラ４２を回転させることにより、一番上の転写紙は給紙路４６に向けて送り出される。
給紙カセット４４から送り出された転写紙を受け入れる給紙路４６には、複数の搬送ローラ対４７と、給紙路４６の末端付近に設けられたレジストローラ対４９とが設けられている。転写紙は、搬送ローラ対４７を介してレジストローラ対４９に向けて搬送される。レジストローラ対４９に向けて搬送された転写紙は、レジストローラ対４９のローラ間に挟まれる。一方、中間転写ベルト１１０上に形成された４色トナー像は、ベルトの無端移動に伴って二次転写ニップに進入する。レジストローラ対４９は、ローラ間に挟み込んだ転写紙に二次転写ニップにおいて４色トナー像を転写させることができるタイミングで、転写紙を送り出す。これにより、二次転写ニップにおいて、中間転写ベルト１１０上の４色トナー像が転写紙に転写され、フルカラー画像となる。このようにしてフルカラー画像が形成された転写紙は、紙搬送ベルト２４の無端移動に伴って移動し、次いで紙搬送ベルト２４上から定着装置２５に送られる。
【００１５】
定着装置２５は、定着ベルト２６を２個のローラによって張架させながら無端移動させる装置であるベルトユニットと、定着ベルト２６を押圧する加圧ローラ２７とを備えている。定着ベルト２６と加圧ローラ２７とは互いに当接して定着ニップを形成しており、紙搬送ベルト２４から受け取った転写紙をここに挟み込む。ベルトユニットにおける２個のローラのうち、加圧ローラ２７に押圧される方のローラは、内部に図示しない熱源を備えており、これの発熱によって定着ベルト２６を加熱する。加熱された定着ベルト２６は、定着ニップに挟み込まれた転写紙を加熱する。この加熱やニップ圧の影響により、フルカラー画像が転写紙に定着する。
定着装置２５内で定着処理が施された転写紙は、プリンタ筐体の図中左側板から突設したスタック部５７上に排紙されるか、もう一方の面にもトナー像を形成するために二次転写ニップに戻されるかする。
原稿のコピーがとられる際には、例えばシート原稿の束が自動原稿送り装置４００の原稿台３０上にセットされる。又は、１枚の原稿がコンタクトガラス３２上にセットされる。なお、コンタクトプレートとしてコンタクトガラスが用いられているが、ガラスプレートでなく、例えば、アクリルなどのプラスチックシートを用いることも可能である。光透過性があれば、材質は特に限定されない。１枚ずつコンタクトガラス３２上にセットする場合、先ず、複写機本体に対して自動原稿送り装置４００を上方へ回動させ、コンタクトガラス３２を露出させる。この後、コンタクトガラス３２に原稿を載置し、次いで自動原稿送り装置４００を下方へ回動させてコンタクトガラス３２との間に原稿を挟み込む。
【００１６】
このようにして原稿がセットされた後、コピースタートスイッチが押下されると、スキャナ部本体３００による原稿読取動作がスタートする。但し、自動原稿送り装置４００にシート原稿がセットされた場合には、この原稿読取動作に先立って、自動原稿送り装置４００がシート原稿をコンタクトガラス３２まで自動移動させる。原稿読取動作では、先ず、第１走行体３３と第２走行体３４とがともに走行を開始し、第１走行体３３に設けられた光源から光が発射される。そして、原稿面からの反射光は、第２走行体３４内に設けられたミラーで反射し、次いで、結像レンズ３５を通過し、最後に読取センサ３６に入射する。読取センサ３６は、入射光に基づいて画像情報を構築する。
このような原稿読取動作と併行して、各プロセスカートリッジ１８Ｙ，Ｍ，Ｃ，Ｋ内の各機器、中間転写ユニット１７、二次転写装置２２、及び定着装置２５がそれぞれ駆動を開始する。そして、読取センサ３６によって構築された画像情報に基づいて、光書込ユニット２１が駆動制御されて、各像担持体１Ｙ，Ｍ，Ｃ，Ｋ上に、Ｙ，Ｍ，Ｃ，Ｋトナー像が形成される。これらトナー像は、中間転写ベルト１１０上に重ね合わせて転写され、４色トナー像となる。
また、原稿読取動作の開始とほぼ同時に、給紙装置２００内では給紙動作が開始される。この給紙動作では、複数の給紙ローラ４２のうちの１個が選択的に回転させられ、ペーパーバンク４３内に多段に設けられる給紙カセット４４のうちの１つから転写紙が送り出される。転写紙が送り出される際、分離ローラ４５で１枚ずつ転写紙が分離されて１枚ずつ転写紙が給紙路４６に進入する。その後、搬送ローラ対４７によって二次転写ニップに向けて搬送される。一方、給紙カセット４４からの給紙に代えて、手差しトレイ５１からの給紙が行われる場合がある。この場合、手差し給紙ローラ５０が選択的に回転させられ、手差し給紙ローラ５０によって転写紙が画像形成装置内に送り出される。その際、複数枚の転写紙が相互の摩擦力により一体として搬送されようとするが、分離ローラ５２があるので、転写紙は１枚ずつ搬送されることになる。このようにして１枚ずつ転写紙がプリンタ部１００の手差し給紙路５３に給紙される。
【００１７】
２色以上のトナーからなる多色画像を形成する場合には、中間転写ベルト１１０をその上部張架面がほぼ水平になる姿勢で張架して、上部張架面に全ての像担持体１Ｙ，Ｍ，Ｃ，Ｋを接触させる。これに対し、Ｋトナーのみからなるモノクロ画像を形成する場合には、図示しない機構により、中間転写ベルト１１０を図中左下に傾けるような姿勢にして、その上部張架面をＹ，Ｍ，Ｃ用の像担持体１Ｙ，Ｍ，Ｃから離間させる。そして、４個の像担持体１Ｙ，Ｍ，Ｃ，Ｋのうち、Ｋ用の像担持体１Ｋだけを回転させて、Ｋトナー像だけを作像する。この際、Ｙ，Ｍ，Ｃについては、像担持体１だけでなく、現像装置４の駆動をも停止させる。
本複写機は、複写機内の下記機器の制御を司るＣＰＵ等から構成される制御部と、図１に示すように液晶ディスプレイや各種キーボタン等などから構成される操作表示部２８とを備えている。ユーザーは、この操作表示部２８に対するキー入力操作により、制御部に対して命令を送ることで、片面プリントモード又は両面プリントモードを選択することができる。
【００１８】
図３は、図１の画像形成装置の側面図である。画像形成装置本体２の上面後端側（図中、右側）に圧板開閉式スキャナ３が載置されている。画像形成装置本体２の正面側上方は開きスペースとなっており、このスペースを利用して画像形成装置本体２の用紙排紙部２ａに載置された原稿が取り出される。すなわち、用紙取出しのための作業スペースが必要なため、圧板開閉式スキャナ３はやや後方に設けられている。また、圧板開閉式スキャナ３の背面は画像形成装置本体２の背面とほぼ面一にされている。このように面一にされているのは、画像形成装置本体２の背面から圧板開閉式スキャナ３を突出させると装置全体の奥行きが大きくなり、装置設置スペースがより必要になるので、これを避けるためである。
スキャナ部本体３００には、その後端側の回動軸を中心に自動原稿送り装置４００が回動自在に取り付けられている。また、スキャナ部本体３００の正面側上部の角部は面取りがされ斜面３００ａが形成されている。また、自動原稿送り装置４００の正面側下部には凹部４００ａが形成され、取っ手が形成されている。そして、ユーザーはこの取っ手に指を入れ、自動原稿送り装置４００を掬い上げることで自動原稿送り装置４００は上方に回動し、コンタクトガラス３２（図２記載）が露出する。
【００１９】
図４は、圧板開閉式スキャナ３を示している。図に示すように、スキャナ部本体３００は略直方体状をしており、近年の装置の小型化・軽量化の要求から厚みが薄くされている。このスキャナ部本体３００には、嘴状の自動原稿送り装置４００が設けられている。そして、図３を用いて説明したように、スキャナ部本体３００には、原稿保持板開閉口側上部（自動原稿送り装置４００の開閉側上部）の角部が面取りされている。より具体的には、図５に示すように、スキャナ部本体３００の正面側上部に直線状に傾斜した面が形成されている。この傾斜面３００ａは正面側に向かうにつれて下降している。勿論、面取り形状は、指を挿入して自動原稿送り装置４００を持ち上げ易い形状であればよく、例えば、Ｒ状になっていてもよい。自動原稿送り装置４００には凹部４００ａが形成されており、傾斜面３００ａと凹部４００ａを形成したことにより長尺状の指挿入空間Ｓが形成されている。
スキャナ部本体３００の角部の面取りされた部分の側端には、壁部３００ｂが起立している。すなわち、指挿入空間Ｓの側端には該指挿入空間Ｓを形成するために、壁部３００ｂが形成されている。同様に、自動原稿送り装置４００の凹部４００ａは、壁部４００ａ１を有している。このように、壁部３００ｂ，４００ａ１を形成すると、自動原稿送り装置４００を持つための指挿入空間Ｓの位置を指で触れることで把握することができる。従って、視覚に頼らなくてもよく、視覚障害を持つユーザーにとって使い勝手の良いものとなる。また、概ね視覚で位置を確認してから指の感覚に頼って指挿入空間Ｓに指を挿入し、指を指挿入空間Ｓの側端側に移動させて側端の位置を確認し、次いで、自動原稿送り装置４００を持ち上げ易い位置に、指を配置する操作方法も有効である。すなわち、本実施形態の圧板開閉式スキャナ３は手探りで自動原稿送り装置４００を持ち上げることができ、作業性に優れている。特に、原稿保持板の開閉頻度が高い複写作業、ＦＡＸ作業及びスキャン作業に用いると、有効である。また、車椅子を使用中のユーザーにとっては、健常者に比べ作業位置が限定されることが多いが、手探りで好適な位置に指を配置することができるので、力を然程入れずに原稿保持板を持ち上げることができる。そのため、力を入れ難い態勢であっても作業することができる。
【００２０】
上述した第１実施形態の圧板開閉式スキャナ３では、スキャナ部本体３００の正面側上部の角部が面取りされているので、自動原稿送り装置４００に指が十分に入る程度の引っ掛け部が形成されていなくても、自動原稿送り装置４００を容易に指で持ち上げることができる。すなわち、十分に大きな面取りを行えば、自動原稿送り装置４００に凹部４００ａが形成されていなくても、この面取りによる指挿入空間Ｓに指を容易に挿入することができる。従って、自動原稿送り装置４００が薄くなっても容易に指を引っ掛けて圧板部分を持ち上げることができる。
【００２１】
〔第２実施形態〕
図６は、本発明の圧板開閉式スキャナの第２実施形態を備える画像形成装置を示している。この第２実施形態に係る画像形成装置は第１実施形態に係る画像形成装置と比べて、原稿保持板の形態が異なる。第１実施形態では原稿保持板として自動原稿送り装置４００を用いた例について説明したが、この第２実施形態では原稿保持板として薄板状の圧板４００Ａが用いられている。
図７は、図６の圧板開閉式スキャナ３を拡大して示している。この図７の圧板開閉式スキャナ３では、第１実施形態と同様にスキャナ部本体３００の正面側上部の角部に面取りが施されている。より具体的には、平面状の傾斜面３００ａが形成されている。また、圧板４００Ａには、凹部４００ａが形成されており、この凹部４００ａは取っ手として利用される。傾斜面３００ａと凹部４００ａを形成したことにより長尺状の指挿入空間Ｓ（図５参照）が形成されている。
上述した第２実施形態の圧板開閉式スキャナ３では、第１実施形態と同様の作用効果を奏する。さらに、この第２実施形態の圧板開閉式スキャナ３では、圧板４００Ａが薄いため圧板４００Ａを持ち上げるための指を挿入する空間を凹部４００ａのみでは十分に確保することができないが、傾斜面３００ａが形成された指挿入空間Ｓが存在するので、薄い圧板４００Ａを用いた場合であっても容易に指を、指挿入空間Ｓに挿入することができる。そして、圧板４００Ａを容易に持ち上げることができる。なお、この第２実施形態で用いられている圧板４００Ａは幅方向中央に向かうに従い盛り上がるように湾曲しているため、幅方向中央部付近が最も指を挿入し易い。圧板４００Ａの上面の幅方向中央にはマーク部４００ｂが形成されており、視覚的に中央の位置を把握することができると共に、視覚によらずに指の感覚で中央の位置を把握することができる。
【図面の簡単な説明】
【００２２】
【図１】図１は、本発明の圧板開閉式スキャナの第１実施形態を備える画像形成装置を示す説明図である。
【図２】図２は、画像形成装置の内部の構造を示す説明図である。
【図３】図３は、図１の画像形成装置の側面図である。
【図４】図４は、本発明の圧板開閉式スキャナの第１実施形態を示す説明図である。
【図５】図５は、本発明の圧板開閉式スキャナの要部を示す説明図である。
【図６】図６は、本発明の圧板開閉式スキャナの第２実施形態を備える画像形成装置を示す説明図である。
【図７】図７は、本発明の圧板開閉式スキャナの第２実施形態を示す説明図である。
【符号の説明】
【００２３】
１  像担持体
２  画像形成装置本体
２ａ  用紙排紙部
３  圧板開閉式スキャナ
４  現像装置
１４  従動ローラ
１５  駆動ローラ
１６  二次転写バックアップローラ
１７  中間転写ユニット
１８  プロセスカートリッジ
２０  画像形成ユニット
２１  光書込ユニット
２２  二次転写装置
２３  張架ローラ
２４  紙搬送ベルト
２５  定着装置
２６  定着ベルト
２７  加圧ローラ
２８  操作表示部
３０  原稿台
３１  原稿排紙部
３２  コンタクトガラス
３３  第１走行体
３４  第２走行体
３５  結像レンズ
３６  読取センサ
４２  給紙ローラ
４３  ペーパーバンク
４４  給紙カセット
４５  分離ローラ
４６  給紙路
４７  搬送ローラ対
４９  レジストローラ対
５０  手差し給紙ローラ
５１  手差しトレイ
５２  分離ローラ
５３  手差し給紙路
５７  スタック部
６２  一次転写バイアスローラ
９０  ベルトクリーニング装置
１００  プリンタ部
１１０  中間転写ベルト
２００  給紙装置
３００  スキャナ部本体
３００ａ  傾斜面
３００ｂ  壁部
４００  自動原稿送り装置
４００Ａ  圧板
４００ａ  凹部
４００ａ１  壁部
４００ｂ  マーク部
Ｓ  指挿入空間
【図１】
0004990176.tif 000002
【図２】
0004990176.tif 000003
【図３】
0004990176.tif 000004
【図４】
0004990176.tif 000005
【図５】
0004990176.tif 000006
【図６】
0004990176.tif 000007
【図７】
0004990176.tif 000008